(57)【要約】【課題】複数の周波数帯域ごとにノイズを効率よく除去することが可能で、かつ、互いに隣接するノイズフィルタどうしにおける特性ばらつきが小さく、各ノイズフィルタごとに、ノイズを確実に除去することが可能なノイズフィルタアレイを提供する。【解決手段】  コイル１１，１３とコンデンサ１２ａ，１２ｂ、１４ａ，１４ｂとからなる複数段のＬＣ並列共振回路８，９を備えたノイズフィルタ３ａ〜３ｄを絶縁体４内に形成すると共に、各コイル１１，１３の間に両者の磁気結合を防止するためのシールド電極２３を配設する。また、互いに隣接するノイズフィルタどうしの電磁界分布の差異に起因した共振周波数の特性ばらつきの影響を無くすために、両側に他のノイズフィルタが隣接しているノイズフィルタ３ｂ，３ｃは、他のノイズフィルタ３ａ，３ｄに比べてコンデンサ１２ｂ，１４ｂのキャパシタンスが大きくなるように設定する。【選択図】図３
2007116554.tif 000002
【特許請求の範囲】
【請求項１】
ノイズ除去用の少なくとも３個のノイズフィルタを備え、各ノイズフィルタが回路基板上に形成された信号配線に個別に対応してアレイ状に配設され、一体化されたノイズフィルタアレイであって、
絶縁体の外部には、前記信号配線に接続される一対の外部電極が形成され、前記絶縁体の内部には、複数のコイルが直列接続された状態で配設されているとともに、その両端が一対の外部電極にそれぞれ電気的に接続され、かつ、前記複数のコイルのうちの少なくとも１個のコイルにはコンデンサが並列に接続されており、
前記各コイルは、前記絶縁体を介して複数積層されたコイル導体を、ビアホールを介して接続することにより構成され、
前記コンデンサは、前後のコイル間にあって両コイルに電気的に共通接続されたシールド電極と、前記一対の外部電極のうちの一方側の外部電極に電気的に接続されたキャパシタンス形成電極とを、前記絶縁体を介して対向配置することにより構成されており、かつ、
各ノイズフィルタのうち、両側に他のノイズフィルタが隣接しているノイズフィルタにおいては、片側のみに他のノイズフィルタが隣接しているノイズフィルタに比べて、前記コンデンサのキャパシタンスが大きくなるように、キャパシタンスの調整が行われていること
を特徴とするノイズフィルタアレイ。
【請求項２】
ノイズ除去用の複数のノイズフィルタを備え、各ノイズフィルタが回路基板上に形成された信号配線に個別に対応してアレイ状に配設され、一体化されたノイズフィルタアレイであって、
絶縁体の外部には、前記信号配線に接続される一対の外部電極が形成され、前記絶縁体の外部の、前記外部電極が形成されていない位置には方向識別マークが形成される一方、前記絶縁体の内部には、複数のコイルが直列接続された状態で配設されているとともに、その両端が一対の外部電極にそれぞれ電気的に接続され、かつ、前記複数のコイルのうちの少なくとも１個のコイルにはコンデンサが並列に接続されており、
前記各コイルは、前記絶縁体を介して複数積層されたコイル導体を、ビアホールを介して接続することにより構成され、また、前記コンデンサは、前後のコイル間にあって両コイルに電気的に共通接続されたシールド電極と、前記一対の外部電極のうちの一方側の外部電極に電気的に接続されたキャパシタンス形成電極とを、前記絶縁体を介して対向配置することにより構成されており、かつ、
各ノイズフィルタのうち、前記方向識別マークと対向する位置にあるノイズフィルタは、前記方向識別マークによる磁束遮蔽に起因したインダクタンス低下を補うように、前記コンデンサのキャパシタンスが調整されていること
を特徴とするノイズフィルタアレイ。
【請求項３】
請求項１または請求項２に記載のノイズフィルタアレイにおいて、前記シールド電極と前記キャパシタンス形成電極とが前記絶縁体を介して対向配置されることにより構成されたコンデンサに代えて、前記コイル導体と、前記一対の外部電極のうちの一方側の外部電極に電気的に接続されたキャパシタンス形成電極とを、前記絶縁体を介して対向配置することによりコンデンサが形成されていることを特徴とするノイズフィルタアレイ。
【発明の詳細な説明】
【技術分野】
【０００１】
本願発明は、回路基板上に形成された信号配線を流れるノイズを有効に除去するためのノイズフィルタが各信号配線に個別に対応するようにアレイ状に配置され、一体化された構造を有するノイズフィルタアレイに関する。
【背景技術】
【０００２】
例えば、携帯電話においては、その通信方式によって、一台の携帯電話で複数の通信帯域を使用するものがある。そして、各通信帯域での受信感度劣化を防止するためには、各々の周波数帯域でノイズを有効に除去することが必要となる。
【０００３】
このようなノイズ除去のために使用されるノイズフィルタとして、従来よりチョークコイルやフェライトビーズ、ラダー型のＬＣフィルタなどが知られている。
【０００４】
ここで、上記のチョークコイルをノイズフィルタとして使用する場合には、チョークコイルを各信号配線に単に実装するだけでノイズを除去することができるためノイズ対策が容易であるが、チョークコイルは、ノイズを除去することができる帯域が比較的狭く、特定周波数のノイズしか有効に除去することができず、複数の周波数帯域のノイズを同時に除去することが難しいという問題点がある。
【０００５】
また、フェライトビーズを用いる場合には、チョークコイルの場合と同様に、フェライトビーズを各信号配線に単に実装するだけでノイズを除去することができるためノイズ対策は容易であるが、フェライトビーズは、低周波域から減衰をもつため、必要な信号を減衰させるなど、信号波形に及ぼす影響が大きく、また、高減衰が得られないため十分なノイズの除去効果を得ることができない場合がある。
【０００６】
また、上述のラダー型のＬＣフィルタは、Ｔ型、π型、Ｌ型などの各種のものがあるが、これらのいずれにおいてもインダクタンスとキャパシタンスとを適宜設定することにより、広帯域のノイズ除去特性が得られるものの、コンデンサに連なる外部電極を接地する必要があるため、ラダー型のＬＣフィルタが実装される回路基板には、接地用電極パターンを形成することが不可欠となる。このため、回路基板の配線の自由度が制限されるという問題点がある。
【０００７】
さらに、高密度実装を行う回路基板においては、複数の信号配線が形成されるが、部品レイアウトによってはこれらの信号配線とともに十分な線幅の接地用電極パターンを形成することが困難な場合があり、その結果、接地用電極パターンに寄生するインダクタンスの影響によりラダー型のＬＣフィルタの周波数特性が変化してノイズを十分に除去できなくなるという不具合がある。
【０００８】
一方、従来技術では、誘電体内に複数のコイル導体を螺旋状に積層してコイルを形成し、このコイルのインダクタンスとコイル導体間の浮遊キャパシタンスとにより一つのトラップ回路を形成してなるフィルタ素子を備えるとともに、当該素子の両側に、磁性体内に複数のコイル導体を螺旋状に積層してコイルを形成し、このコイルのインダクタンスとコイル導体間の浮遊キャパシタンスとにより一つのトラップ回路を形成してなるフィルタ素子を配置し、これらのフィルタ素子どうしを一体形成してノイズフィルタを構成したものが提案されている（例えば、特許文献１参照）。
【０００９】
このノイズフィルタによれば、各フィルタ素子を構成するトラップ回路の共振周波数を複数の通信帯域に対応してそれぞれ設定することにより、各通信帯域におけるノイズを除去することが可能になる。
【００１０】
しかしながら、この特許文献１に記載されているノイズフィルタにおいては、高域側のみならず低域側の共振周波数もコイル導体間に生じる浮遊キャパシタンスに依存しているため、所望の共振周波数に設定することが難しい。しかも、磁性体を用いたトラップ回路は、共振周波数において高減衰を得ることが難しいため、各周波数帯域ごとに適切かつ十分なノイズ除去を行うことができない恐れがある。さらにまた、誘電体と磁性体とを同時に焼成して一体化する必要があるため、製造工程で割れや剥がれなどが発生しやすく、強度面の信頼性が低いばかりでなく、最適な製造条件を高い精度で設定管理する必要があるため、コストの増大を招くという問題点がある。
【００１１】
さらに他の従来技術として、単一の誘電体内に複数のコイル導体を螺旋状に積層してなるコイルを複数同時に形成して複数のトラップ回路を構成したものも提案されている。
【００１２】
しかしながら、この構成のノイズフィルタの場合も上記の特許文献１の場合と同様に、各トラップ回路を複数の通信帯域に対応して所望の共振周波数に設定することが困難であり、しかも、コイルどうしが互いに磁気結合しやすく、複数のトラップ回路が形成できない場合や、各トラップ回路の共振周波数において高減衰を得ることができない場合があり、周波数帯域ごとに適切かつ十分なノイズ除去を行うことができないという問題点がある。
【特許文献１】特開平５−２６７０５９号公報
【発明の開示】
【発明が解決しようとする課題】
【００１３】
本願発明は、上記課題を解決するためになされたものであり、複数の周波数帯域において共振周波数を容易かつ確実に設定することが可能で、複数の周波数帯域ごとにノイズを効率よく除去することが可能なノイズフィルタアレイ、さらには、互いに隣接するノイズフィルタどうしに特性ばらつきが生じるのを抑制して各ノイズフィルタごとにノイズを確実に除去することが可能な高性能のノイズフィルタアレイを提供することを目的とする。
【課題を解決するための手段】
【００１４】
上記課題を解決するために、本願請求項１のノイズフィルタアレイは、
ノイズ除去用の少なくとも３個のノイズフィルタを備え、各ノイズフィルタが回路基板上に形成された信号配線に個別に対応してアレイ状に配設され、一体化されたノイズフィルタアレイであって、
絶縁体の外部には、前記信号配線に接続される一対の外部電極が形成され、前記絶縁体の内部には、複数のコイルが直列接続された状態で配設されているとともに、その両端が一対の外部電極にそれぞれ電気的に接続され、かつ、前記複数のコイルのうちの少なくとも１個のコイルにはコンデンサが並列に接続されており、
前記各コイルは、前記絶縁体を介して複数積層されたコイル導体を、ビアホールを介して接続することにより構成され、
前記コンデンサは、前後のコイル間にあって両コイルに電気的に共通接続されたシールド電極と、前記一対の外部電極のうちの一方側の外部電極に電気的に接続されたキャパシタンス形成電極とを、前記絶縁体を介して対向配置することにより構成されており、かつ、
各ノイズフィルタのうち、両側に他のノイズフィルタが隣接しているノイズフィルタにおいては、片側のみに他のノイズフィルタが隣接しているノイズフィルタに比べて、前記コンデンサのキャパシタンスが大きくなるように、キャパシタンスの調整が行われていること
を特徴としている。
【００１５】
また、本願請求項２のノイズフィルタアレイは、
ノイズ除去用の複数のノイズフィルタを備え、各ノイズフィルタが回路基板上に形成された信号配線に個別に対応してアレイ状に配設され、一体化されたノイズフィルタアレイであって、
絶縁体の外部には、前記信号配線に接続される一対の外部電極が形成され、前記絶縁体の外部の、前記外部電極が形成されていない位置には方向識別マークが形成される一方、前記絶縁体の内部には、複数のコイルが直列接続された状態で配設されているとともに、その両端が一対の外部電極にそれぞれ電気的に接続され、かつ、前記複数のコイルのうちの少なくとも１個のコイルにはコンデンサが並列に接続されており、
前記各コイルは、前記絶縁体を介して複数積層されたコイル導体を、ビアホールを介して接続することにより構成され、また、前記コンデンサは、前後のコイル間にあって両コイルに電気的に共通接続されたシールド電極と、前記一対の外部電極のうちの一方側の外部電極に電気的に接続されたキャパシタンス形成電極とを、前記絶縁体を介して対向配置することにより構成されており、かつ、
各ノイズフィルタのうち、前記方向識別マークと対向する位置にあるノイズフィルタは、前記方向識別マークによる磁束遮蔽に起因したインダクタンス低下を補うように、前記コンデンサのキャパシタンスが調整されていること
を特徴としている。
【００１６】
また、請求項３のノイズフィルタアレイは、請求項１または請求項２に記載のノイズフィルタアレイにおいて、
前記シールド電極と前記キャパシタンス形成電極とが前記絶縁体を介して対向配置されることにより構成されたコンデンサに代えて、前記コイル導体と、前記一対の外部電極のうちの一方側の外部電極に電気的に接続されたキャパシタンス形成電極とを、前記絶縁体を介して対向配置することによりコンデンサが形成されていること
を特徴としている。
【発明の効果】
【００１７】
本願請求項１および請求項２のノイズフィルタアレイにおいては、単一の絶縁体内にＬＣ並列共振回路からなるノイズフィルタがアレイ状に一体化して形成されているので、各ノイズフィルタを構成するＬＣ並列共振回路のコンデンサのキャパシタンスを調整したり、コイル導体の巻数を変えたり、コイル導体間の距離を変えたりすることにより、所望の共振周波数を容易かつ確実に設定することが可能で、これにより、各々の信号配線のノイズを個別に効率よく除去することができる。
しかも、前後のコイル間にはシールド電極を配設しているので、前後のコイルどうしの磁気結合を防止することが可能で、各ＬＣ並列共振回路の共振周波数の設定を確実に行うことができる。
したがって、本願発明のノイズフィルタを用いることにより、例えば携帯電話のノイズ対策を有効に行うことが可能になる。
【００１８】
また、本願発明のノイズフィルタアレイにおいては、各信号配線ごとにノイズフィルタを個別に設ける必要がなく、一つの部品（ノイズフィルタアレイ）により、各信号配線のノイズを個別に除去することができる。
その結果、従来に比べて部品点数を削減することが可能になるとともに、部品実装の効率化、回路基板上の実装面積の削減を図ることができる。
また、単一の絶縁体内にノイズフィルタが一体形成されるため、製造工程において割れや剥がれなどが発生するおそれが少なく、構造欠陥のない、信頼性の高いノイズフィルタアレイを効率よく製造することが可能になる。
【００１９】
さらに、本願請求項１のノイズフィルタアレイにおいては、各ノイズフィルタのうち、両側に他のノイズフィルタが隣接しているノイズフィルタについては、片側のみに他のノイズフィルタが隣接しているノイズフィルタに比べて、前記コンデンサのキャパシタンスが大きくなるように調整されているので、互いに隣接する各ノイズフィルタ相互間の共振周波数の特性ばらつきが抑制され、各ノイズフィルタでノイズを常に効率よく除去することが可能な、高性能のノイズフィルタアレイを得ることができる。
【００２０】
また、本願請求項２のノイズフィルタアレイにおいては、各ノイズフィルタのうち、前記方向識別マークと対向する位置にあるノイズフィルタについては、前記方向識別マークによる磁束遮蔽に起因したインダクタンス低下を補うように前記コンデンサのキャパシタンスが調整されているので、方向識別マークと対向するコンデンサと対向しないコンデンサとのインダクタンスの差に起因するフィルタ特性のばらつきが抑制される。その結果、各ノイズフィルタにより、ノイズを常に効率よく除去することが可能な、高性能のノイズフィルタアレイを得ることができる。
【００２１】
また、本願請求項３のように、コイル導体と両外部電極のうちの一方側の外部電極に電気的に接続されたキャパシタンス形成電極とを絶縁体を介して対向配置することによりコンデンサを形成するようにした場合にも、比較的簡単な構成で、複数のＬＣ並列共振回路からなるノイズフィルタを有するノイズフィルタアレイを得ることができる。
【００２２】
そして、請求項３のノイズフィルタアレイにおいても、コンデンサのキャパシタンスを調整したり、コイル導体の巻数を変えたり、コイル導体間の距離を変えたりすることにより容易に所望の共振周波数を設定することが可能である。特に、前後のコイル間にコイル軸方向に直交してシールド電極を配設するようにした場合には、前後のコイルどうしの磁気結合を確実に防止することができるので、各ＬＣ並列共振回路の共振周波数の設定をさらに確実に行うことができるために好ましい。
【００２３】
さらに、本願請求項３のノイズフィルタアレイにおいても、各ノイズフィルタのうち、両側に他のノイズフィルタが隣接しているノイズフィルタについて、片側のみに他のノイズフィルタが隣接しているノイズフィルタに比べて、コンデンサのキャパシタンスが大きくなるように調整したり、あるいは、方向識別マークと対向する位置にあるノイズフィルタについて、前記方向識別マークによる磁束遮蔽に起因したインダクタンス低下を補うようにコンデンサのキャパシタンスを調整したりすることにより、各ノイズフィルタにおいてノイズを常に効率よく除去することが可能で、高性能のノイズフィルタアレイを得ることができる。
【発明を実施するための最良の形態】
【００２４】
以下、本願発明の実施例を示して、その特徴とするところをさらに詳しく説明する。
【実施例１】
【００２５】
図１は本願発明の実施例１にかかるノイズフィルタアレイを回路基板に実装した状態を示す平面図、図２は図１のＡ−Ａ線に沿う断面図、図３は本願発明の実施例１にかかるノイズフィルタアレイの等価回路図である。
【００２６】
この実施例１におけるノイズフィルタアレイは、図１〜図３に示すように、回路基板１上に形成された複数（この実施例１では４本）の信号配線２を流れるノイズを除去するためのもので、各々の信号配線２に対応して４個のノイズフィルタ３ａ〜３ｄ（図３）が一体的に配設されて構成されている。
【００２７】
すなわち、このノイズフィルタアレイは、セラミックグリーンシートなどの絶縁性シートを積層し、一体焼成することにより形成された直方体状の絶縁体４を備えている。そして、この絶縁体４の両端側（左右外側部）には、各信号配線２に個別に対応してそれぞれ信号入出力用の外部電極６，７が形成されており、各外部電極６，７が、各信号配線２を構成する左右の電極パターン２ａ，２ｂにハンダなどにより電気的に接続されている。
【００２８】
また、絶縁体４内には、各々の信号配線２に対応して、前後に２段のＬＣ並列共振回路８，９が縦列接続された状態で形成されている。そして、この２段のＬＣ並列共振回路８，９により、各信号配線２に対するノイズフィルタ３ａ〜３ｄが構成されている。なお、後述するように、各ＬＣ並列共振回路８，９は、複数の周波数帯域でそれぞれノイズを有効に除去することができるように、各々の共振周波数が互いに異なるように構成されている。
【００２９】
また、前段のＬＣ並列共振回路８は、入力側コイル１１と、この入力側コイル１１を形成する際に必然的に発生する浮遊コンデンサ１２ａと、後述するキャパシタンス形成電極２４により形成される入力側コンデンサ１２ｂとを備えており、入力側コイル１１に対して各コンデンサ１２ａ，１２ｂが並列接続されている。さらに、後段のＬＣ並列共振回路９は、出力側コイル１３と、この出力側コイル１３を形成する際に必然的に発生する浮遊コンデンサ１４ａと、後述するキャパシタンス形成電極２５により形成される出力側コンデンサ１４ｂとを備え、出力側コイル１３に対して各コンデンサ１４ａ，１４ｂが並列接続されている。
なお、この実施例１では、以下、上記の上側の入力側コイル１１と、下側の出力側コイル１３を「前後のコイル１１，１３」ともいう。なお、この前後のコイル１１，１３は、請求項１，２における「前後のコイル」に相当するものである。
【００３０】
上記の入力側コイル１１は、絶縁体４内において複数積層されたコイル導体１６を、ビアホール１７を介して順次接続することにより螺旋状のコイルとされている。同様に、出力側コイル１３は、絶縁体４内において複数積層されたコイル導体１８を、ビアホール１９を介して順次接続することにより螺旋状のコイルとされている。そして、入力側コイル１１と出力側コイル１３の各一端側は、ビアホール２０を介して互いに直列に接続される一方、入力側コイル１１と出力側コイル１３の他端側はそれぞれ入力側と出力側の各外部電極６，７に接続されている。
【００３１】
また、前後のコイルすなわち、入力側コイル１１と出力側コイル１３の間には、コイル軸方向に直交するようにシールド電極２３が配置されているとともに、このシールド電極２３に、絶縁体４を介して２つのキャパシタンス形成電極２４，２５が対向して形成されている。これにより、シールド電極２３と、一方のキャパシタンス形成電極２４とにより入力側コンデンサ１２ｂが構成され、また、シールド電極２３と、他方のキャパシタンス形成電極２５とにより出力側コンデンサ１４ｂが構成されている。
【００３２】
そして、上記のシールド電極２３は、上側の入力側コイル１１と、下側の出力側コイル１３の間を直列接続するビアホール２０に電気的に接続されるとともに、絶縁体４内に埋設された状態で、外部接続されないように構成されている。また、このシールド電極２３は、前後のコイル１１，１３の口径を覆う大きさの面積を有するように構成されている。
【００３３】
すなわち、シールド電極２３は、各コンデンサ１２ｂ，１４ｂのキャパシタンス形成用の一方側の電極としての機能を果たすとともに、前後のコイル１１，１３相互間が磁気結合しないように電磁シールドする機能を果たすように構成されている。また、各キャパシタンス形成電極２４，２５は、その各一端部が絶縁体４の外側部にそれぞれ引き出されて各外部電極６，７に電気的に接続されている。
なお、前後のコイル１１，１３どうしの磁気結合を防止する上で、シールド電極２３の面積は、少なくとも前後の各コイル１１，１３の口径の面積の１／２以上を覆うような面積とすることが好ましい。
【００３４】
そして、各ＬＣ並列共振回路８，９の共振点が互いに異なるように、入力側コイル１１と出力側コイル１３の巻数を予め調整してインダクタンスを変化させたり、あるいは、シールド電極２３とこれに対向配置された各キャパシタンス形成電極２４，２５との対向面積や対向間距離を予め調整して入力側コンデンサ１２ｂと出力側コンデンサ１４ｂのキャパシタンスを変化させたりすることにより、除去したい周波数のノイズが確実に除去されるように、各ＬＣ並列共振回路８，９の共振点を調整する。
なお、各コイル１１，１３自体の巻数を調整し、これに伴って発生する浮遊コンデンサ１２ａ，１４ａのキャパシタンスの変化により共振点を十分に調整することが可能な場合には、必ずしもキャパシタンス形成電極２４，２５を設けてコンデンサ１２ｂ，１４ｂを形成する必要はない。
【００３５】
また、この実施例１において、各ノイズフィルタ３ａ〜３ｄは、前段側のＬＣ並列共振回路８が低域側のノイズを除去し、また、後段側のＬＣ並列共振回路９が高域側のノイズを除去するようにそれぞれ設定されている。この場合、ＬＣ並列共振回路における共振周波数は、インダクタンスとキャパシタンスとの積（ＬＣ積）の値に依存し、ＬＣ積が大きいほど共振周波数は小さくなって低域側になるので、前段側のＬＣ並列共振回路８のＬＣ積は、後段側のＬＣ並列共振回路９のＬＣ積よりも大きくなっている。
【００３６】
ところで、この実施例１では、４個のノイズフィルタ３ａ〜３ｄが各信号配線２に個別に対応してアレイ状に配設されているが、これらの各ノイズフィルタ３ａ〜３ｄのうち、両側に他のノイズフィルタ３ａ，３ｄが隣接しているノイズフィルタ３ｂ，３ｃと、片側のみに他のノイズフィルタ３ｂ，３ｃが隣接しているノイズフィルタ３ａ，３ｄとでは、電磁界分布に差が生じる。
【００３７】
したがって、上記のように各ノイズフィルタ３ａ〜３ｄについて各ＬＣ並列共振回路８，９の共振点を調整する場合において、各ノイズフィルタ３ａ〜３ｄがそれぞれ単独に存在する場合を前提として、各コンデンサ１２ｂ，１４ｂのキャパシタンスを調整すると、各ノイズフィルタ３ａ〜３ｄのＬＣ並列共振回路８，９における共振点が所定の値とずれてしまい、所望のフィルタ特性が得られなくなる。
【００３８】
図４は、各ＬＣ並列共振回路８，９を構成する前後の各コンデンサ１２ｂ，１４ｂについて、シールド電極２３に対する各キャパシタンス形成電極２４，２５の対向面積および対向距離を各ノイズフィルタ３ａ〜３ｄ相互間で同じ値に設定した場合の、１素子目のノイズフィルタ３ａと２素子目のノイズフィルタ３ｂとの挿入損失（ＩＬ）の周波数依存特性（以下、ＩＬ特性という）を調べた結果を示す図である。
【００３９】
図４に示すように、各キャパシタンス形成電極２４，２５を、各ノイズフィルタ３ａ〜３ｄ共に同じ対向面積および対向距離に設定した場合、互いに隣接するノイズフィルタどうしの電磁界分布の相互干渉により、１素子目のノイズフィルタ３ａのＩＬ特性（図中、実線で示す）と２素子目のノイズフィルタ３ｂのＩＬ特性（図中、破線で示す）とでは、共振周波数の位置がずれてしまうことがわかる。
【００４０】
すなわち、２素子目のノイズフィルタ３ｂは、その両側に１素子目と３素子目の各ノイズフィルタ３ａ，３ｃが隣接し、また、３素子目のノイズフィルタ３ｃは、その両側に２素子目と４素子目の各ノイズフィルタ３ｂ，３ｄが隣接しているため、２素子目と３素子目のノイズフィルタ３ｂ，３ｃは、１素子目と４素子目のノイズフィルタ３ａ，３ｄに比べて磁気結合が大きく、このため共振点が高周波側にシフトする。一方、１素子目と４素子目のノイズフィルタ３ａ，３ｄは、片側にだけ他のノイズフィルタが隣接しているので、２素子目と３素子目のノイズフィルタ３ｂ，３ｃに比べて磁気結合が小さく、共振点が低周波側にシフトする。
【００４１】
そこで、このように互いに隣接するノイズフィルタの電磁界分布の差に起因したフィルタ特性のばらつきの影響をなくすために、この実施例１では、各ノイズフィルタ３ａ〜３ｄのうち、両側に他のノイズフィルタが隣接している２素子目と３素子目のノイズフィルタ３ｂ，３ｃにおいては、片側のみに他のノイズフィルタが隣接しているノイズフィルタ３ａ，３ｄに比べて、前後のコンデンサ１２ｂ，１４ｂのキャパシタンスが大きくなるように、キャパシタンスの調整が行われている。
【００４２】
すなわち、図５に示すように、２素子目と３素子目のノイズフィルタ３ｂ，３ｃについては、コンデンサ１２ｂ，１４ｂを構成する各キャパシタンス形成電極２４，２５の、シールド電極２３に対する対向面積を、他のノイズフィルタ３ａ，３ｄの場合よりも大きく形成することにより、キャパシタンスが大きくなるように調整し、共振点を低周波側にシフトさせるようにしている。これにより、互いに隣接する各ノイズフィルタ３ａ〜３ｄ相互間で共振点に特性ばらつきが生じることを防止することができる。
【００４３】
なお、この実施例１のように、シールド電極２３に対する各キャパシタンス形成電極２４，２５の対向面積を変化させることにより、キャパシタンスを調整するようにした場合、印刷パターンの形状を変えるだけでキャパシタンスを調整することが可能になり、絶縁性シートの積層枚数を変更したりする必要がないため、低コストで実現できる利点がある。
なお、キャパシタンスを調整する方法はこれに限られるものではなく、シールド電極２３に対する各キャパシタンス形成電極２４，２５の対向距離を変化させることによりキャパシタンスを調整して、各ノイズフィルタ３ａ〜３ｄ相互間でフィルタ特性にばらつきが生じることを防止するように構成することも可能である。
【００４４】
次に、この実施例１のノイズフィルタアレイの製造方法について説明する。
図６は本願発明の実施例１にかかるノイズフィルタアレイの製造方法の一例を示す分解斜視図である。
【００４５】
この実施例１のノイズフィルタアレイを製造するにあたっては、入力側コイル形成用の絶縁性シート３１、出力側コイル形成用の絶縁性シート３２、コンデンサ形成用の絶縁性シート３３，３４、およびこれらの各絶縁性シート３１〜３４の間に必要に応じて介在させる、例えばビアホールなどを備えた相互間接続用の絶縁性シート（図示せず）をそれぞれ所定枚数分だけ準備する。なお、これらの各絶縁性シートとしては、誘電体であるセラミックグリーンシートなどが使用される。
【００４６】
そして、コイル形成用の各絶縁性シート３１，３２には、４つの信号配線２に対応させて各コイル１１，１３を形成するための、４つのコイル導体１６，１８がそれぞれ形成されている。また、各コイル導体１６，１８は、絶縁性シート３１，３２を積層したときに螺旋状となるように、絶縁性シート３１，３２ごとに形状を変えて形成されている。また、各コイル導体１６，１８は、信号の流れる方向に対して同じ巻回方向とされている。
【００４７】
一方、コンデンサ形成用の絶縁性シート３３，３４のうち、上側の絶縁性シート３３には、キャパシタンス形成電極２４，２５がともに形成され、下側の絶縁性シート３４にはシールド電極２３が形成されている。
そして、シールド電極２３およびキャパシタンス形成電極２４，２５は、４つの信号配線２にそれぞれ対応させるため４つ並列に形成されている。さらに、これらの絶縁性シート３１〜３４のうち、所定の絶縁性シートには上下のシート間を電気的に接続することができるようにビアホール２０などが形成されている。この場合、コイル導体１６，１８やシールド電極２３、キャパシタンス形成電極２４，２５には、例えばＡｇ−Ｐｄ、Ａｇなどの材料が使用される。
【００４８】
そして、出力側コイル形成用の絶縁性シート３２、コンデンサ形成用の絶縁性シート３３，３４および入力側コイル形成用の絶縁性シート３１を所定枚数分積層し、さらに、必要に応じて各絶縁性シート３１〜３４の間に相互間接続用の絶縁性シート（図示せず）を介在させた後、これらの各絶縁性シートの積層体を一体焼成する。その後、得られた絶縁体４の両端部（左右の外側部）に、各信号配線２に対応して外部電極６，７を形成する。
【００４９】
これにより、図２に示すような構成、および図３に示すような等価回路を有する実施例１のノイズフィルタアレイが得られる。すなわち、このノイズフィルタアレイにおいては、各コイル導体１６，１８が、ビアホール１７，１９，２０を介して順次接続されて、螺旋状の入力側コイル１１と出力側コイル１３とが形成されており、かつ、各コイル１１，１３は、その一端側が外部電極６，７に接続され、他端側はビアホール２０を介して互いに直列接続されるとともに、シールド電極２３にも共通に接続されている。また、シールド電極２３には絶縁体４を介してキャパシタンス形成電極２４，２５が対向し、かつ、各キャパシタンス形成電極２４，２５のそれぞれの一端が外部電極６，７に接続されることにより、入力側コンデンサ１２ｂおよび出力側コンデンサ１４ｂが形成されている。そして、これにより、浮遊コンデンサ１２ａと入力側コンデンサ１２ｂとが入力側コイル１１に対して並列に接続され、また、浮遊コンデンサ１４ａと出力側コンデンサ１４ｂとが出力側コイル１３に対して並列に接続された構成が実現されている。
【００５０】
なお、この実施例１のノイズフィルタアレイにおいては、複数の周波数帯域においてそれぞれノイズを有効に除去することができるように、前後のＬＣ並列共振回路８，９の共振点を、各周波数帯域に含まれるノイズを除去したい共振周波数に予め設定しておくことにより、例えば携帯電話のノイズ対策として必要な、８００ＭＨｚ付近と、２ＧＨｚ付近の２つの通信帯域におけるノイズを有効に除去することが可能になる。
【００５１】
しかも、入力側コイル１１と出力側コイル１３の間にシールド電極２３が介在しており、前後のコイル１１，１３どうしの磁気結合が確実に遮断されるため、各々のＬＣ並列共振回路８，９の共振周波数が変動することを抑制、防止して、複数の周波数帯でそれぞれトラップの減衰量を大きくすることができる。例えば、高周波側の共振周波数について２０ｄＢ以上の高い減衰を確保することが可能になる。
【００５２】
また、この実施例１のノイズフィルタアレイにおいては、一つの部品内に複数のノイズフィルタ３ａ〜３ｄが一体的に形成されており、各信号配線２のノイズをともに除去することができるため、信号配線２ごとに個別にノイズフィルタを設ける必要がなく、部品点数を削減することができる。
さらに、複数のＬＣ並列共振回路８，９が単一の絶縁体４内に形成されるため、製造工程で割れや剥がれなどが発生するおそれが少なく、構造欠陥のない、信頼性の高いノイズフィルタアレイを提供することができる。
【００５３】
さらに、この実施例１のノイズフィルタアレイにおいては、各ノイズフィルタ３ａ〜３ｄのうち、両側に他のノイズフィルタが隣接している２素子目と３素子目のノイズフィルタ３ｂ，３ｃは、片側のみに他のノイズフィルタが隣接しているノイズフィルタ３ａ，３ｄに比べて前後のコンデンサ１２ｂ，１４ｂのキャパシタンスが大きくなるように構成されているので、互いに隣接するノイズフィルタどうしの、電磁界分布の相互干渉の影響を排除して、各ノイズフィルタ３ａ〜３ｄ相互間の共振周波数の特性ばらつきを抑制することができる。その結果、各ノイズフィルタ３ａ〜３ｄにおいてノイズを常に効率よく除去することが可能になり、高性能のノイズフィルタアレイを得ることができる。
【００５４】
なお、上記の実施例１では、各ノイズフィルタ３ａ〜３ｄを構成する前後のＬＣ並列共振回路８，９のいずれにも、シールド電極２３に対してキャパシタンス形成電極２４，２５を設けるようにしているが、要求されるフィルタ特性によっては、高域側のノイズを除くための後段側のＬＣ並列共振回路９については、必ずしもキャパシタンス形成電極２５を設けて出力側コンデンサ１４ｂを形成する必要はなく、出力側コイル１３とこれに伴って生じる浮遊コンデンサ１４ａとにより十分にノイズを除去することが可能である。
【００５５】
すなわち、ＬＣ並列共振回路において、共振周波数はＬＣ積の値に依存し、ＬＣ積が大きいほど共振周波数は小さくなって低域側になる。また、同じＬＣ積の値の場合にはインダクタンスＬが大きいほど減衰量は大きくなり、キャパシタンスＣの割合が大きいほど減衰帯域が狭くなる。ここで、高域側の共振周波数の設定は、ＬＣ積が小さくてもよいので、浮遊キャパシタンスを調整することで容易に実現することが可能である。しかも、浮遊キャパシタンスが小さくてもよいため、減衰帯域を広くとることができる。一方、低域側の共振周波数の設定は、ＬＣ積をある程度大きくすることが必要になる。この場合、インダクタンスＬの値を大きく設定しすぎると、信号波形が歪むなどの問題を生じるため、インダクタンスＬの値を大きくするには自ずと限界があり、したがって、共振周波数を調整するためには、キャパシタンスの値がある程度大きくなるようにする必要がある。また、インダクタンスＬの制限をカバーするために、浮遊コンデンサ１２ａのキャパシタンスを大きく設定しようとしてコイル導体の層間距離を小さくしたり、絶縁材料を変更したりすると、特性の劣化や、信頼性の低下、工数の増加による製造コストの上昇などを招くという問題点がある。それゆえ、前段側のＬＣ並列共振回路８は、浮遊コンデンサ１２ａのキャパシタンスに頼ることなく、入力側コンデンサ１２ｂによって積極的にキャパシタンスを確保する必要がある。
【００５６】
したがって、要求されるフィルタ特性によっては、前段側のＬＣ並列共振回路８については、キャパシタンス形成電極２４を設けて入力側コンデンサ１２ｂを形成し、入力側コイル１１とこれに並列接続された浮遊コンデンサ１２ａ，入力側コンデンサ１２ｂとの組み合わせにより、ある程度大きなＬＣ積が得られるようにして、低域側のノイズを除く一方、後段側のＬＣ並列共振回路９については、キャパシタンス形成電極を省略し、出力側コイル１３とこれに並列接続された浮遊コンデンサ１４ａとの組み合わせによって高域側のノイズを除くように構成することが可能である。
【００５７】
かかる構成を採用する場合にも、互いに隣接するノイズフィルタの電磁界分布の差に起因したフィルタ特性のばらつきの影響を除くために、図７に示すように、各ノイズフィルタ３ａ〜３ｄのうち、両側に他のノイズフィルタが隣接している２素子目と３素子目のノイズフィルタ３ｂ，３ｃについては、片側のみに他のノイズフィルタが隣接している１素子目と４素子目のノイズフィルタ３ａ，３ｄに比べて、シールド電極２３に対するキャパシタンス形成電極２４の対向面積を大きく形成して、入力側コンデンサ１２ｂのキャパシタンスが大きくなるように、キャパシタンスの調整を行う。
【実施例２】
【００５８】
図８は本願発明の他の実施例（実施例２）にかかるノイズフィルタアレイの要部構成を示す図であって、１素子目のノイズフィルタ３ａの対向位置に方向識別マークが形成された場合の、各ノイズフィルタのシールド電極に対するキャパシタンス形成電極の大きさを模式的に示す図である。
図８において、図１〜図６と同一符号を付した部分は、実施例１のノイズフィルタアレイの場合と同一または相当する部分を示している。
【００５９】
この実施例２では、絶縁体４の外部の、外部電極６，７が形成されていない位置に、方向識別マーク３７が形成されている。すなわち、この方向識別マーク３７は、ノイズフィルタアレイを回路基板１へ実装する際の方向性を示すためのもので、図８に示す例では、方向識別マーク３７が付された側がチップの上面であり、かつ、方向識別マーク３７の形成位置が１素子目のノイズフィルタ３ａに対応していることを示している。
【００６０】
ところで、この方向識別マーク３７は、電極材料で形成されることが多く、このような方向識別マーク３７を形成すると、方向識別マーク３７と対向する位置にあるノイズフィルタ３ａの磁束が遮蔽されるため、インダクタンスが小さくなり、ノイズフィルタ３ａとそれ以外のノイズフィルタ３ｂ〜３ｄとではフィルタ特性に差を生じ、所望のフィルタ特性が得られなくなる。
【００６１】
図９は、アレイ状に配設された４個のノイズフィルタ３ａ〜３ｄのうち、１素子目のノイズフィルタ３ａの上部に方向識別マーク３７が形成されている場合において、１素子目のノイズフィルタ３ａと、４素子目のノイズフィルタ３ｄのＩＬ特性を調べた結果を示す図である。なお、この場合、１素子目のノイズフィルタ３ａと、４素子目のノイズフィルタ３ｄのキャパシタンス形成電極２４，２５は、シールド電極２３に対しても同じ対向面積および対向距離に設定されている。
【００６２】
図９に示すように、方向識別マーク３７と対向する位置にある１素子目のノイズフィルタ３ａのＩＬ特性（図中、実線で示す）と、方向識別マーク３７と対向していない４素子目のノイズフィルタ３ｄのＩＬ特性（図中、破線で示す）では、共振周波数の位置が僅かではあるがずれてしまうことがわかる。
【００６３】
そこで、この実施例２では、各ノイズフィルタ３ａ〜３ｄのうち、方向識別マーク３７と対向する位置にあるノイズフィルタ３ａにおいては、方向識別マーク３７による磁束遮蔽に起因したインダクタンスの低下を補うようにコンデンサ１２ｂ，１４ｂのキャパシタンスを調整するようにしている。
【００６４】
具体的には、図８に示すように、方向識別マーク３７に対向した位置にある１素子目のノイズフィルタ３ａについては、シールド電極２３に対する各キャパシタンス形成電極２４，２５の対向面積を、４素子目のノイズフィルタ３ｄの場合よりも大きくすることによりキャパシタンスが大きくなるように調整し、これによって共振点を低周波側にシフトさせる。これによって、方向識別マーク３７の存在の有無によって各ノイズフィルタ３ａ，３ｄ相互間で、共振点に特性ばらつきが生じることを防止することができる。
【００６５】
なお、この実施例２ではシールド電極２３に対する各キャパシタンス形成電極２４，２５の対向面積を変化させることによりキャパシタンスを調整しているが、キャパシタンスを調整する方法はこれに限らず、シールド電極２３に対する各キャパシタンス形成電極２４，２５の対向距離を変化させることによりキャパシタンスを調整することも可能である。
【００６６】
このように、この実施例２では、方向識別マーク３７と対向する位置にあるノイズフィルタ３ａについては、方向識別マーク３７と対向しない位置にあるノイズフィルタ３ｄに比べて、コンデンサ１２ｂ，１４ｂのキャパシタンスが大きくなるようにキャパシタンスの調整を行うことにより、方向識別マーク３７による磁束遮蔽に起因したインダクタンス低下を補うようにしているので、ノイズフィルタ３ａ，３ｄ間のフィルタ特性のばらつきを抑制して、各ノイズフィルタ３ａ〜３ｄでノイズを常に効率よく除去することが可能な、高性能のノイズフィルタアレイを得ることができる。
【００６７】
なお、この実施例２においても、４個のノイズフィルタ３ａ〜３ｄがアレイ状に配設されていることから、互いに隣接するノイズフィルタ相互の磁気結合に起因したフィルタ特性への影響を考慮して、両側に他のノイズフィルタが隣接しているノイズフィルタ３ｂ，３ｃにおいては、片側のみに他のノイズフィルタが隣接しているノイズフィルタ３ａ，３ｄに比べて、コンデンサのキャパシタンスが大きくなるように、キャパシタンスを調整すること、例えば、実施例１の場合のように、２素子目と３素子目のノイズフィルタ３ｂ，３ｃのキャパシタンス形成電極２４，２５の対向面積を調整したりすることが必要であることなどは上記実施例１の場合と同様である。
なお、その他の構成、および作用効果は、実施例１の場合と同様であることから、ここでは重複を避けるため、詳しい説明は省略する。
【００６８】
また、この実施例２では、４個のノイズフィルタ３ａ〜３ｄがアレイ状に配設されたノイズフィルタアレイについて説明したが、例えば２つのノイズフィルタを備え、一方のノイズフィルタの対向位置に方向識別マークが付されているような構成を有するノイズフィルタアレイにも、本願発明を適用することが可能である。
【００６９】
また、上記の実施例２では、一つのノイズフィルタ３ａの対向位置にのみ方向識別マーク３７が形成されている場合を例にとって説明したが、複数のノイズフィルタにまたがって方向識別マーク３７が形成される場合にも本願発明を適用することが可能である。
例えば、図１０に示すように、１素子目と２素子目のノイズフィルタ３ａ，３ｂにまたがって方向識別マーク３７が配設され、かつ２素子目のノイズフィルタ３ｂに対して方向識別マーク３７が占める面積が大きいような場合にあっては、各ノイズフィルタ３ａ〜３ｄについて、方向識別マーク３７の磁束遮蔽に起因するフィルタ特性への影響、および、実施例１で説明したような、互いに隣接するノイズフィルタ相互の磁気結合に起因するフィルタ特性への影響の双方を考慮して、各ノイズフィルタ３ａ〜３ｄのシールド電極２３に対するキャパシタンス形成電極２４，２５の対向面積の大きさを、２素子目のノイズフィルタ３ｂ＞３素子目のノイズフィルタ３ｃ＞１素子目のノイズフィルタ３ａ＞４素子目のノイズフィルタ３ｄの順になるように調整することにより、ノイズフィルタ３ａ〜３ｄ間のフィルタ特性のばらつきを抑制して、各ノイズフィルタ３ａ〜３ｄでノイズを効率よく除去することが可能な、高性能のノイズフィルタアレイを得ることができる。
【００７０】
図１１は、図１０に示した構成において、上記のようにして各ノイズフィルタ３ａ〜３ｄのシールド電極２３に対するキャパシタンス形成電極２４，２５の対向面積の大きさを調整したときのＩＬ特性を測定した結果を示す図である。
【００７１】
図１１に示すように、各ノイズフィルタ３ａ〜３ｄについて、キャパシタンス形成電極２４，２５の対向面積の大きさを調整することにより、方向識別マーク３７によるフィルタ特性のばらつきが抑制され、良好なフィルタ特性が得られていることがわかる。
【実施例３】
【００７２】
図１２は本願発明の実施例３にかかるノイズフィルタアレイの構造を示す断面図である。なお、図１２において、図１〜図３と同一符号を付した部分は、実施例１のノイズフィルタアレイと同一または相当する部分を示している。
【００７３】
この実施例３のノイズフィルタアレイは、基本的には図３に示した等価回路と同じ等価回路を有している。ただし、この実施例３のノイズフィルタアレイでは、入力側コンデンサ１２ｂと出力側コンデンサ１４ｂとは、入力側コイル１１と出力側コイル１３を形成する各コイル導体１６，１８の一部に対して、絶縁体４を介してキャパシタンス形成電極２４，２５をそれぞれ対向配置することにより構成されている。
【００７４】
すなわち、入力側コイル１１を形成するコイル導体１６の出力側の一部に対して、絶縁体４を介してキャパシタンス形成電極２４を対向配置することにより入力側コンデンサ１２ｂが構成され、キャパシタンス形成電極２４の一端は絶縁体４の外側部に引き出されて外部電極６に電気的に接続されている。これにより、入力側コイル１１に対して、入力側コイル１１を形成する際に必然的に発生する浮遊コンデンサ１２ａ（図３参照）とキャパシタンス形成電極２４により形成される入力側コンデンサ１２ｂとが並列接続された前段側のＬＣ並列共振回路８（図３参照）が構成されている。
【００７５】
同様に、出力側コイル１３を形成するコイル導体１８の出力側の一部に対して、絶縁体４を介してキャパシタンス形成電極２５を対向配置することにより出力側コンデンサ１４ｂが構成され、キャパシタンス形成電極２５の一端は絶縁体４の外側部に引き出されて外部電極７に電気的に接続されている。これにより、出力側コイル１３に対して、出力側コイル１３を形成する際に必然的に発生する浮遊コンデンサ１４ａ（図３参照）とキャパシタンス形成電極２５により形成される出力側コンデンサ１４ｂとが並列接続された後段側のＬＣ並列共振回路９（図３参照）が構成されている。
【００７６】
また、この実施例３のノイズフィルタアレイでは、実施例１の場合と同様に、上側の入力側コイル１１と下側の出力側コイル１３の間に両コイル１１，１３間の磁気結合を防止するためのシールド電極２３が設けられており、上側の入力側コイル１１と下側の出力側コイル１３の間を直列接続するビアホール２０に電気的に接続されている。
【００７７】
そして、この実施例３のノイズフィルタアレイにおいては、入力側コイル１１と出力側コイル１３の巻数を予め調整してインダクタンスを変化させたり、あるいは、各コイル導体１６，１８に対してキャパシタンス形成電極２４，２５の対向面積や対向間距離などを調整したりして、入力側コンデンサ１２ｂと出力側コンデンサ１４ｂのキャパシタンスを変化させることにより、ノイズを除去したい共振周波数に各ＬＣ並列共振回路８，９の共振点を調整することが行われる。
【００７８】
さらに、この実施例３についても、４個のノイズフィルタ３ａ〜３ｄがアレイ状に配設されているので、実施例１の場合と同様、互いに隣接するノイズフィルタ相互の磁気結合に起因するフィルタ特性への影響を考慮して、両側に他のノイズフィルタが隣接しているノイズフィルタ３ｂ，３ｃにおいては、片側のみに他のノイズフィルタが隣接しているノイズフィルタ３ａ，３ｄに比べて、コンデンサのキャパシタンスが大きくなるように、キャパシタンスを調整すること、例えば、実施例１の場合のように、２素子目と３素子目のノイズフィルタ３ｂ，３ｃのキャパシタンス形成電極２４，２５の対向面積を調整したりすることが必要であることなどは上記実施例１の場合と同様である。
また、方向識別マークが形成される場合には、実施例２の場合と同様に、方向識別マークによるインダクタンス低下を補うように、シールド電極２３に対するキャパシタンス形成電極２４，２５のキャパシタンス（対向面積あるいは対向距離）を調整することにより、方向識別マーク３７の磁束遮蔽に起因するフィルタ特性への影響を除くことができる。
その他の構成、および作用効果は、実施例１の場合と同様であることから、ここでは重複を避けるため、詳しい説明は省略する。
【００７９】
なお、上記の各実施例１〜３において、各ノイズフィルタ３ａ〜３ｄは、信号配線２に対して前後２段にわたってＬＣ並列共振回路８，９を設けているが、これに限らず、各信号配線２に対して３段以上にわたってＬＣ並列共振回路を縦列接続した構成とすることも可能である。その場合、各ＬＣ並列共振回路ごとに、適切な共振周波数となるようにインダクタンスとキャパシタンスとを適宜設定することにより、さらに広帯域のノイズ除去特性を得ることが可能になる。
【００８０】
また、上記の実施例１〜３においては、回路基板１上に形成された４本の信号配線２に対応して４個のノイズフィルタ３ａ〜３ｄを組み合わせて一体化したノイズフィルタアレイについて説明したが、本願発明のノイズフィルタアレイはこれに限定されるものではなく、ノイズフィルタが３個以上ある場合に広く適用することが可能である。
【００８１】
本願発明は、さらにその他の点においても上記実施例１〜３に限定されるものではなく、発明の範囲内において、種々の応用、変形を加えることが可能である。
【産業上の利用可能性】
【００８２】
本願発明によれば、複数の周波数帯域において共振周波数を容易かつ確実に設定することが可能で、複数の周波数帯域ごとにノイズを効率よく除去することが可能なノイズフィルタ、さらには、コイルどうしの磁気結合を確実に防止して各共振周波数において高減衰を得ることが可能なノイズフィルタアレイを提供することが可能になる。
したがって、本願発明のノイズフィルタアレイは、携帯電話のノイズ除去などの用途に好適に用いることが可能であり、さらに他の用途、例えば他の高周波回路のノイズ除去などの用途にも広く利用することが可能である。
【図面の簡単な説明】
【００８３】
【図１】本願発明の実施例１にかかるノイズフィルタアレイを回路基板に実装した状態を示す平面図である。
【図２】図１のＡ−Ａ線に沿う断面図である。
【図３】本願発明の実施例１にかかるノイズフィルタアレイの等価回路図である。
【図４】本願発明の実施例１にかかるノイズフィルタアレイにおいて、シールド電極に対する各キャパシタンス形成電極の対向面積、対向距離を各ノイズフィルタ相互間で同じ値に設定した場合の、１素子目のノイズフィルタと２素子目のノイズフィルタとのＩＬ特性を調べた結果を比較して示す図である。
【図５】本願発明の実施例１にかかるノイズフィルタアレイの、各ノイズフィルタごとのシールド電極に対するキャパシタンス形成電極の大きさを模式的に示す図である。
【図６】本願発明の実施例１にかかるノイズフィルタアレイの製造方法を示す分解斜視図である。
【図７】本願発明の実施例１の変形例にかかるノイズフィルタアレイの、各ノイズフィルタごとのキャパシタンス形成電極とシールド電極との大きさの対応関係を模式的に示す図である。
【図８】本願発明の実施例２のノイズフィルタアレイにおいて、１素子目のノイズフィルタの対向位置に方向識別マークが形成された場合における各ノイズフィルタのシールド電極に対するキャパシタンス形成電極の大きさを模式的に示す図である。
【図９】本願発明の実施例２にかかるノイズフィルタアレイに関し、図８に示した構成の４個のノイズフィルタのうち、方向識別マークが存在する１素子目のノイズフィルタと方向識別マークが存在しない４素子目のノイズフィルタのＩＬ特性を調べた結果を示す図である。
【図１０】本願発明の実施例２にかかるノイズフィルタアレイに関し、１素子目と２素子目のノイズフィルタにまたがって方向識別マークが形成された場合の各ノイズフィルタのシールド電極に対するキャパシタンス形成電極の大きさを模式的に示す図である。
【図１１】本願発明の実施例２にかかるノイズフィルタアレイに関し、図１０に示した構成の各ノイズフィルタにおいて、シールド電極に対するキャパシタンス形成電極の対向面積の大きさを調整したときのＩＬ特性を測定した結果を示す図である。
【図１２】本願発明の実施例３にかかるノイズフィルタアレイの構成を示す断面図である。
【符号の説明】
【００８４】
１                回路基板
２                信号配線
２ａ，２ｂ        電極パターン
３ａ〜３ｄ        ノイズフィルタ
４                絶縁体
６，７            外部電極
８                前段のＬＣ並列共振回路
９                後段のＬＣ並列共振回路
１１              入力側コイル
１２ａ            浮遊コンデンサ
１２ｂ            入力側コンデンサ
１３              出力側コイル
１４ａ            浮遊コンデンサ
１４ｂ            出力側コンデンサ
１６，１８        コイル導体
１７，１９，２０  ビアホール
２３              シールド電極
２４，２５        キャパシタンス形成電極
３１，３２        コイル形成用の絶縁性シート
３３，３４，３５  コンデンサ形成用の絶縁性シート
３７              方向識別マーク
【図１】
2007116554.tif 000003
【図２】
2007116554.tif 000004
【図３】
2007116554.tif 000005
【図４】
2007116554.tif 000006
【図５】
2007116554.tif 000007
【図６】
2007116554.tif 000008
【図７】
2007116554.tif 000009
【図８】
2007116554.tif 000010
【図９】
2007116554.tif 000011
【図１０】
2007116554.tif 000012
【図１１】
2007116554.tif 000013
【図１２】
2007116554.tif 000014